(57)【要約】【課題】  光ディスク表面にうねり、傷、塵埃などの障害物があるとＦＥ信号の急激な変動が発生し、この信号変動があまりに急激な場合にはフォーカスサーボが追従できずに焦点ずれが大きくなり、記録時の実効的なレーザパワーは低下するため、適正な記録、消去、再生が行えないという問題がある。【解決手段】  レーザドライバに通常記録用のレーザパワーと焦点ずれ用のレーザパワー（通常記録用のレーザパワーの一定倍率）とをあらかじめセットしておき、フォーカスエラーが一定の範囲内にある通常の場合には前者のパワーを使用し、フォーカスエラーが一定の範囲を超え、焦点ずれにより実効的なレーザパワーが低下した場合には後者のレーザパワーを使用することにより、情報の信頼性を確保する性能を引き出すようにしたものである。【選択図】  図３
2006040455.tif 000002
【特許請求の範囲】
【請求項１】
情報記録媒体上の記録エリアにレーザ光を照射して情報の未記録部分とは反射率の異なる領域を形成することにより情報の記録を行う情報記録方法であって、
情報の記録時に得られる反射光からフォーカス誤差量を示すフォーカスエラー信号を検出し、
検出されたフォーカスエラー信号に基づいて、レーザを駆動させるパワーである基準パワーを切り替えることを特徴とする情報記録方法。
【請求項２】
請求項１に記載の情報記録方法において、
前記情報記録媒体の面振れ方向の変動を考慮した基準レベルに対して、所定の値だけ大きなフォーカスエラー信号が検出されたときに、前記基準パワーを切り替えることを特徴とする情報記録方法。
【請求項３】
請求項２に記載の情報記録方法において、
前記基準パワーを一定の倍率で変化させることで基準パワーを切り替えることを特徴とする情報記録方法。
【請求項４】
情報記録媒体上の記録エリアにレーザ光を照射して情報の未記録部分とは反射率の異なる領域を形成することにより情報の記録を行う情報記録方法であって、
情報の記録時に得られる反射光からフォーカス誤差量を示すフォーカスエラー信号を検出し、
検出されたフォーカスエラー信号に基づいて、レーザ光の出力パワーを切り替えることを特徴とする情報記録方法。
【請求項５】
請求項４に記載の情報記録方法において、
前記情報記録媒体の面振れ方向の変動を考慮した基準レベルに対して、所定の値だけ大きなフォーカスエラー信号が検出されたときに、前記出力パワーを切り替えることを特徴とする情報記録方法。
【請求項６】
請求項５に記載の情報記録方法において、
前記出力パワーを一定の倍率で変化させることで出力パワーを切り替えることを特徴とする情報記録方法。
【請求項７】
情報記録媒体にレーザ光を照射して情報を記録する情報記録方法であって、
前記情報記録媒体の記録時の反射光から得られるフォーカスエラー信号が所定の閾値を超えたときに、記録時レーザパワーを固定値Ｐ０から固定値Ｐ１に切り替える情報記録方法。
【請求項８】
情報記録媒体にレーザ光を照射して情報を記録する情報記録方法であって、
前記情報記録媒体の記録時の反射光から得られるフォーカスエラー信号が所定の閾値より小さいときに、記録時レーザパワーをＰ０とし、
前記情報記録媒体の記録時の反射光から得られるフォーカスエラー信号が所定の閾値より大きいときに、記録時レーザパワーを前記Ｐ０より大きいＰ１とし、
情報を記録することを特徴とする情報記録方法。
【請求項９】
情報記録媒体上の記録エリアにレーザ光を照射して情報の未記録部分とは反射率の異なる領域を形成することにより情報の記録を行う情報記録再生装置であって、
レーザ光を照射するレーザと、
前記情報記録媒体のフォーカス方向の変動によるフォーカスエラー信号を検出する検出手段と、
該検出手段で検出されたフォーカスエラー信号に基づいて前記レーザへ供給する基準パワーを切り替えるパワー制御手段と、
を備えたことを特徴とする情報記録再生装置。
【請求項１０】
情報記録媒体上の記録エリアにレーザ光を照射して情報の未記録部分とは反射率の異なる領域を形成することにより情報の記録を行う情報記録再生装置であって、
レーザ光を照射するレーザと、
前記情報記録媒体のフォーカス方向の変動によるフォーカスエラー信号を検出する検出手段と、
該検出手段で検出された信号に基づいてレーザ光の出力パワーを切り替えるパワー制御手段と、
を備えたことを特徴とする情報記録再生装置。
【請求項１１】
情報記録媒体上の記録エリアにレーザ光を照射して情報の未記録部分とは反射率の異なる領域を形成することにより情報の記録を行う情報記録再生装置であって、
レーザ光を照射するレーザと、
前記情報記録媒体のフォーカス方向の変動によるフォーカスエラー信号を検出する検出手段と、
該検出手段で検出されたフォーカスエラー信号が所定の閾値より小さいときに記録時レーザパワーをＰ０とし、フォーカスエラー信号が所定の閾値より大きいときに記録時レーザパワーを前記Ｐ０より大きいＰ１とするパワー制御手段と、
を備えたことを特徴とする情報記録再生装置。
【発明の詳細な説明】
【技術分野】
【０００１】
本発明は、情報記録媒体に情報の記録を行なう情報記録再生装置に係り、特に、レーザパワーを適正に制御する技術に関する。
【背景技術】
【０００２】
特許文献１の０００４段落には「光ディスク装置は光学的な手段によって光ディスクにアクセスするので、光ディスクの表面に、光ビームの進入を妨げたり歪めたりする塵埃や傷などのような障害物があると、光ビームの焦点ズレが大きくなり、場合によってはフォーカシングエラー信号の急激な変動を引き起こすことがある。この信号変動が、あまりに急激な場合は、前記フォーカシングサーボが記録トラックを追随し切れず、局部的に光ビームの焦点ズレが大きくなるので、光ビームの実効出力が低下し、記録、再生、もしくは消去動作が正常に行えずにデータエラーが発生する。」という問題が述べられている。
【０００３】
これを改善する方法として、特許文献１の００１８段落では「フォーカシングエラー信号の変動に応じてレーザ光のパワーを適正に制御するので、光ディスクの表面の傷や異物によって、・・・フォーカシングエラー信号が急激に変動しても、・・・記録信号は、その変動の影響をほとんど受けず、常に一定レベルの安定した振幅で出力される。」という手法を提案している。また、特許文献２でも同様の技術を開示している。
【０００４】
【特許文献１】特開平６−１２６７３号公報（第３〜４頁、第１図）
【特許文献２】特開平５−２３４１１９号公報（００３４段落、００３５段落）
【発明の開示】
【発明が解決しようとする課題】
【０００５】
しかし、特許文献１に記載の光ディスク装置では、光ディスクの反射光から求められるフォーカス誤差量を示す信号であるフォーカスエラー信号（以下「ＦＥ信号」という）の変動が急激かつ過大な場合にもレーザ光の基準パワーを追従させる方式のため、レーザの限界を超える基準パワーがレーザに供給され、レーザが破壊されてしまうという問題がある。
【０００６】
また、ＦＥ信号の急激な変動を抑えるため、ローパスフィルタを通したＦＥ信号に基づいてレーザの基準パワーを設定する構成も考えられるが、レーザ基準パワー制御の追従性が悪くなるという問題がある。すなわち、障害領域であるのに適切なレーザパワーに切り替えることが間に合わず、障害がない領域であるのに通常パワーに戻すことが間に合わないという問題が生じる。また、レーザパワー補正量／遅延量がフィルタに依存してしまうという別の問題も生じる。
【０００７】
これらの問題は、光ディスクへの記録速度が速くなるに伴いさらに大きな問題となっている。本発明の目的は、これら問題を解消することにある。
【課題を解決するための手段】
【０００８】
急激かつ過大なＦＥ信号の変動に対して、レーザ光の基準パワーは変更せずに、レーザパワーを一定倍率だけ変化させることで上記課題を解決する。
【０００９】
具体的には、レーザドライバに通常記録用のレーザパワーと焦点ずれ時のレーザパワー（通常記録用のレーザパワーの一定倍率）とをあらかじめセットしておき、ＦＥ信号が所定の閾値に収まる場合には通常記録用レーザパワーを使用し、ＦＥ信号が所定の閾値を超える場合には焦点ずれ時のレーザパワーを使用して情報の記録を行なう。
【発明の効果】
【００１０】
本発明によれば、光ディスク表面に傷などがある場合であっても、記録信号の信頼性を向上させることができる。
【発明を実施するための最良の形態】
【００１１】
第１の実施例の光ディスク記録再生装置を図１のブロック図を用いて説明する。図１において、１は光ディスク、２は光ディスク１にレーザを照射し記録再生を行う光ピックアップ、３はピックアップ２の出力信号のアナログ処理を行うアナログフロントエンド（以下「ＡＦＥ」という）、４はＡＦＥ３の出力信号にデジタル処理を行うデジタル処理部（以下「ＤＳＰ」という）、５は光ディスク１を回転させるディスクモータである。
【００１２】
光ピックアップ２に搭載されるレーザドライバ２１には、予め２値以上のレーザパワー設定値が設定されている。ここに設定されるレーザパワーはＤＳＰ４により切り替えることができる。
【００１３】
データの記録時に光ディスク１の反射光から生成されるＦＥ信号は、光ピックアップ２、ＡＦＥ３を経由し、ＤＳＰ４に入力される。ＤＳＰ４ではこのＦＥ信号に基づいてフォーカス制御を行う。
【００１４】
図２を用いて記録時に得られるＦＥ信号と記録されたデータを再生したときに得られる再生波形の関係を説明する。なお、図２（ａ）（および後述する図３（ａ）、図４（ａ））において、ＦＥ信号が０レベルであるとは光ディスクの面ぶれを考慮した基準レベルであり、記録再生に最適なフォーカス位置であるものとする。
【００１５】
ＦＥ信号が急激に変化した場合にはフォーカスサーボがその変化に追従することができず焦点ずれが発生することになるが（図２（ａ））、ＦＥ信号に拘わらずレーザパワーを一定とする制御を用いると（図２（ｂ））、その部分ではディスク膜面上の実効的なレーザパワーは低下することになる。すなわち、ＦＥ信号が急激に変化した箇所では、弱いレーザパワーでデータを記録したと同等の記録状態となる。このため、この部分を再生したときに得られる再生波形の振幅は低下し、リードエラーを引き起こす可能性が高まる（図２（ｃ））。
【００１６】
そこで，本実施例では、ＤＳＰ４に入力されたＦＥ信号に基づいてレーザパワーの切り替えを行なう。図３を用いて詳細に説明する。
【００１７】
まず、ＦＥ信号に対して検出閾値±Ｖｔｈを設定し、ＦＥ信号の絶対値とＶｔｈとを比較する（図３（ａ））。ＦＥ信号の絶対値がＶｔｈよりも小さい場合にはＤＳＰ４によりＬＤＤ２１の通常のパワーＰ０を有効とし、ＦＥ信号の絶対値がＶｔｈよりも大きくなった場合（焦点ずれが大きくディスク膜面上の実効的なパワーが低下した場合）にはＤＳＰ４はＬＤＤ２１に通常よりも大きなパワーＰ１（例えばＰ１＝Ｐ０×１．１）を設定する（図３（ｂ））。これにより、フォーカスエラーが急激に変化した部分にてレーザパワーが大きくなるよう制御することで所望の記録品質でデータ記録をすることができる。この結果、データを再生したときには良好な振幅を得ることができ、リードエラーを防ぐことができる（図３（ｃ））。なお、ここでは、プラス側の検出閾値とマイナス側の検出閾値を同値としたが、これらを個別に設定しても良い。
【００１８】
本実施例の構成によれば、ＦＥ信号の変動に応じてレーザパワー切り替える方式を用いたことで過大なパワーの印加によるレーザ破壊を防止することができる。また、傷などがあるため正常記録ができない領域に対し、レーザパワーを必要以上に高めて記録を試みるという無意味な記録動作を回避することができる。さらに、ＦＥ信号が所定の閾値を超えるか否かによりレーザパワーを切り替えるという単純な方式であるため、ＦＥ信号変動に対する追従性を高めることもできる。すなわち、レーザパワー制御の応答遅れにより、障害のある領域にパワー不足のレーザ光で記録を試みるという問題や、障害のない領域にパワー過剰のレーザ光で記録をしてしまうという問題を回避することができる。
【００１９】
これらの結果、記録品質の向上を図ることができ、その結果として、情報再生の信頼性を高めることができる。
【００２０】
また、ＦＥ信号が所定の閾値を超えるか否かによりレーザパワーを切り替えるという単純な方式であるため、レーザ制御回路の構成を簡易なものにすることができる。
【００２１】
次に、図４を用いて第２の実施例を説明する。なお、第２の実施例の光ディスク装置の構成は図１に示した第１の実施例の光ディスク装置と同等であるので詳細な説明は省略する。
【００２２】
本実施例はＦＥ信号の検出閾値を複数設ける点に特徴を有する（図４（ａ））。第１の検出閾値であるＶｔｈを超えた場合には、第１の実施例と同様に、ＤＳＰ４はＬＤＤ２１にパワーＰ１（例えばＰ１＝Ｐ０×１．１）を設定する。第２の検出閾値である検出閾値Ｖ’ｔｈを超えた場合には、ＤＳＰ４はＬＤＤ２１にパワーＰ２（例えばＰ２＝Ｐ０×１．２）を設定することにより、ＦＥ信号の変動に応じたきめ細かなレーザパワーの設定が可能となる（図４（ｂ））。
【００２３】
本実施例に拠れば、第１の実施例により得られる効果に加え、より良い品質のデータを記録することができ、より良い品質の再生波形を得ることができるという効果がある（図４（ｃ））。
【００２４】
なお、以上の第１の実施例、第２の実施例において、パワーＰ１＝Ｐ０×１．１、パワーＰ２＝Ｐ０×１．２として説明を行なったが、本発明の適用はこの例に限られるものではなく、光ディスク記録再生装置毎、または、光ディスク毎に適宜設定することができることは言うまでもない。
【図面の簡単な説明】
【００２５】
【図１】本発明の光ディスク記録再生装置のブロック図
【図２】ＦＥ信号と再生波形
【図３】第１の実施例の記録時パワー制御を示す図
【図４】第２の実施例の記録時パワー制御を示す図
【符号の説明】
【００２６】
１‥ディスク
２‥ピックアップ
３‥アナログフロントエンド（ＡＦＥ）
４‥デジタル処理部（ＤＳＰ）
５‥ディスクモータ
２１・・レーザドライバ
【図１】
2006040455.tif 000003
【図２】
2006040455.tif 000004
【図３】
2006040455.tif 000005
【図４】
2006040455.tif 000006